(57)【特許請求の範囲】
【請求項１】
アルカリ剤及び界面活性剤を含有する組成物Ａ；
酸化剤を含有する組成物Ｂ；並びに
組成物Ａ及びＢの混合によって生じる、３０℃における粘度が３〜３０Ｐａ・ｓである毛髪化粧料を収容する容器部、該毛髪化粧料を毛髪の束に塗布する塗布部、及び該容器部と該塗布部とを連通し、且つ最狭部の直径が５〜１５ｍｍである液導出路を有する延長部から構成される毛髪化粧料塗布具；を具備する毛髪化粧品であって、
組成物Ａ及び組成物Ｂはそれぞれ独立して別個の容器内に収容されており、
該容器部が、外容器と、該外容器内に配置され、口部が該外容器の円筒状の口部内面に気密に接合された内袋とを有する容器本体と、該容器本体の口首部に取り付けられる逆止弁付きの接続キャップとからなる二重構造であり、
該塗布部が、吐出口及び櫛部を有し、該櫛部が、該吐出口の周囲を囲むように略円環状に配置された複数の櫛歯を有し、
該容器部の該外容器における該接続キャップに覆われていない部分から、該液導出路を含む、該櫛部までの距離Ｌが４０〜２００ｍｍである毛髪化粧品。
【請求項２】
前記液導出路における最狭部での直径をａ（ｍｍ）とし、前記毛髪化粧料の３０℃における粘度をｂ（Ｐａ・ｓ）としたとき、ａ／ｂの値が０．１〜５である請求項１に記載の毛髪化粧品。
【請求項３】
前記容器部の体積に占める、前記毛髪化粧料が収容された状態での該容器部のヘッドスペースの体積の割合をｃ（％）とし、該毛髪化粧料の３０℃における粘度をｂ（Ｐａ・ｓ）としたとき、ｃ／ｂの値が０．５〜１５である請求項１又は２に記載の毛髪化粧品。
【請求項４】
前記毛髪化粧料の２５℃におけるｐＨが８．０〜１２．５である請求項１ないし３のいずれか一項に記載の毛髪化粧品。
【請求項５】
前記毛髪化粧料塗布具はその全長が５〜４０ｃｍである請求項１ないし４のいずれか一項に記載の毛髪化粧品。
【請求項６】
更に、組成物Ａ中に染料を含有する請求項１ないし５のいずれか一項に記載の毛髪化粧品。
【請求項７】
前記毛髪化粧料中に界面活性剤を０．１〜４０質量％含有する請求項１ないし６のいずれか一項に記載の毛髪化粧品。
【請求項８】
前記界面活性剤が、カチオン界面活性剤及び非イオン界面活性剤を含む請求項１ないし７のいずれか一項に記載の毛髪化粧品。
【請求項９】
更に、前記毛髪化粧料中に油剤を含有する請求項１ないし８のいずれか一項に記載の毛髪化粧品。
【請求項１０】
更に、前記毛髪化粧料中にカチオン性ポリマーを含有する請求項１ないし９のいずれか一項に記載の毛髪化粧品。
【請求項１１】
更に、前記毛髪化粧料中にシリコーン類を含有する請求項１ないし１０のいずれか一項に記載の毛髪化粧品。
【請求項１２】
アルカリ剤及び界面活性剤を含有する組成物Ａ；
酸化剤を含有する組成物Ｂ；並びに
組成物Ａ及びＢの混合によって生じる、３０℃における粘度が３〜３０Ｐａ・ｓである毛髪化粧料を収容する容器部、該毛髪化粧料を毛髪の束に塗布する塗布部、及び該容器部と該塗布部とを連通し、且つ最狭部の直径が５〜１５ｍｍである液導出路を有する延長部から構成される毛髪化粧料塗布具；を具備する毛髪化粧品であって、該塗布部が、吐出口及び櫛部を有し、該櫛部が、該吐出口の周囲を囲むように略円環状に配置された複数の櫛歯を有する毛髪化粧品を用いた毛髪の染毛又は脱色方法であって、
該毛髪化粧品は、該容器部の外容器における接続キャップに覆われていない部分から、該液導出路を含む、該櫛部までの距離Ｌが４０〜２００ｍｍであり、
以下の工程１）ないし４）を有する毛髪の染毛又は脱色方法。
１）前記組成物Ａ及びＢを、前記容器部内において混合して、該容器部内において前記毛髪化粧料を生じさせる工程。
２）前記毛髪化粧料を収容した前記容器部と、前記塗布部と、前記延長部とを組み付けられた状態の毛髪化粧料塗布具を用い、前記延長部の前記液導出路を介して、前記容器部から前記塗布部へ前記毛髪化粧料を供給する工程。
３）前記吐出口から前記毛髪化粧料を吐出させ、前記櫛部の内側に前記毛髪化粧料を溜める工程。
４）前記櫛部の内側に溜められた前記毛髪化粧料を毛髪に塗布する工程。
【請求項１３】
前記組成物Ａ及びＢを前記容器部内に入れた後、該容器部の開口部を、閉栓部材で閉塞するか又は前記延長部で閉塞し、その閉塞状態下に該組成物Ａ及びＢを該容器部内で混合する請求項１２に記載の毛髪の染毛又は脱色方法。
【請求項１４】
更に、組成物Ａ中に染料を含有する請求項１２又は１３に記載の毛髪の染毛又は脱色方法。
【請求項１５】
前記毛髪化粧料中に界面活性剤を０．１〜４０質量％含有する請求項１２ないし１４のいずれか一項に記載の毛髪の染毛又は脱色方法。
【請求項１６】
前記界面活性剤が、カチオン界面活性剤及び非イオン界面活性剤を含む請求項１２ないし１５のいずれか一項に記載の毛髪の染毛又は脱色方法。
【請求項１７】
更に、前記毛髪化粧料中に油剤を含有する請求項１２ないし１６のいずれか一項に記載の毛髪の染毛又は脱色方法。
【請求項１８】
更に、前記毛髪化粧料中にカチオン性ポリマーを含有する請求項１２ないし１７のいずれか一項に記載の毛髪の染毛又は脱色方法。
【請求項１９】
更に、前記毛髪化粧料中にシリコーン類を含有する請求項１２ないし１８のいずれか一項に記載の毛髪の染毛又は脱色方法。
【発明の詳細な説明】
【技術分野】
【０００１】
本発明は、毛髪化粧品及びそれを用いた毛髪の染毛又は脱色方法に関する。
【背景技術】
【０００２】
従来、毛髪の染毛や脱色の施術においては、浅底の容器に盛られた毛髪化粧料を塗布具に移し取って毛髪に塗布する動作を繰り返し行っていた。この繰り返し操作は煩雑であるため、施術に失敗する原因となることが多い。そこで、この繰り返し操作をなくすため、毛髪化粧料の貯蔵部から連結部を介して塗布部へと該毛髪化粧料を供給する貯蔵部塗布部一体型染毛道具が提案されている（例えば特許文献１参照）。
【０００３】
しかし、このような貯蔵部塗布部一体型染毛道具を用いた毛髪の染毛や脱色の施術においては、毛髪化粧料の吐出性が低下するという新たな問題が生じる。この問題を解消するために、毛髪化粧料の粘度を低くしてその流動性を高くすると、頭髪への塗布時に毛髪化粧料が垂れ落ちやすくなる。また、塗布後に毛髪化粧料が頭髪の他の部分や、頭髪以外の部位に付着しやすくなる。
【０００４】
ところで毛髪の染毛や脱色においては、頭髪の全部を一様に染毛する、いわゆる全体染めと、頭髪の一部を選択して染毛するハイライティング又はローライティングと呼ばれる部分染めがある。全体染めの場合は、頭髪のうち特定部位を選択する必要がないので、染毛作業は比較的容易である。これに対して部分染めは作業が比較的煩雑である。例えばヘアサロンでは、いわゆるテールコームと呼称される櫛の先細のテール部分で、部分染めする頭髪を層状に頭部から引き出し、その頭髪に刷毛で染毛剤を塗布している。しかし、このようなヘアサロンの作業を個人が自身で実施することは困難である。
【０００５】
そこで、このような部分染めを個人が自身で実施するための専用の器具が提案されている。例えば特許文献２には、内部にカラー剤を流通させるための流通路が形成された中空の筒形状をなすノズル本体の先端に、一対の開口溝を配置した染毛用ノズルが提案されている。一対の開口溝の間隙には、部分染めする頭髪を挿通させることができるようになっている。部分染めを行う場合には、吐出容器に装着したノズルの開口溝に、部分染めしたい頭髪を束状に挿通させる。そして、ノズルの先端を頭髪の根本部分に位置させておき、吐出容器を押圧しながら、部分染めする頭髪の根本部分から毛先部分までノズルを移動させる。すると、開口溝に染毛剤が吐出されるので、これで頭髪の所望部分が部分染めされることになる。
【０００６】
しかし、特許文献２に記載のノズルを用いた場合、部分染めする頭髪の完全に根本の部分を染毛することは困難である。この理由は、ノズルの基端（容器との接続部）の所定幅の分だけ、頭髪の根本に対して開口溝を完全に接近させることが困難なためである。また、同文献に記載のノズルを用いた場合、毛先を指で摘んで頭髪をぴんと張った状態で一対の開口溝の間に頭髪に通す必要があることから、頭髪の最も先端を染毛することはできない。
【先行技術文献】
【特許文献】
【０００７】
【特許文献１】特開２０００−１６４７０号公報
【特許文献２】特開平１０−２９０７１２号公報
【発明の概要】
【発明が解決しようとする課題】
【０００８】
したがって本発明の課題は、前述した従来技術が有する欠点を解消し得る毛髪化粧品を提供することにある。
【課題を解決するための手段】
【０００９】
本発明は、 アルカリ剤及び界面活性剤を含有する組成物Ａ；
酸化剤を含有する組成物Ｂ；並びに
組成物Ａ及びＢの混合によって生じる、３０℃における粘度が３〜３０Ｐａ・ｓである毛髪化粧料を収容する容器部、該毛髪化粧料を毛髪の束に塗布する塗布部、及び該容器部と該塗布部とを連通する液導出路を有する延長部
から構成される毛髪化粧料塗布具；を具備する毛髪化粧品であって、
該塗布部が、吐出口及び櫛部を有し、該櫛部が、該吐出口の周囲を囲むように略円環状に配置された複数の櫛歯を有する毛髪化粧品を提供するものである。
【００１０】
また本発明は、アルカリ剤及び界面活性剤を含有する組成物Ａ；
酸化剤を含有する組成物Ｂ；並びに
組成物Ａ及びＢの混合によって生じる、３０℃における粘度が３〜３０Ｐａ・ｓである毛髪化粧料を収容する容器部、該毛髪化粧料を毛髪の束に塗布する塗布部、及び該容器部と該塗布部とを連通する液導出路を有する延長部から構成される毛髪化粧料塗布具；を具備する毛髪化粧品であって、該塗布部が、吐出口及び櫛部を有し、該櫛部が、該吐出口の周囲を囲むように略円環状に配置された複数の櫛歯を有する毛髪化粧品を用いた毛髪の染毛又は脱色方法であって、
以下の工程１）ないし３）を有する毛髪の染毛又は脱色方法を提供するものである。
１）前記組成物Ａ及びＢを、前記容器部内において混合して、該容器部内において前記毛髪化粧料を生じさせる工程。
２）前記毛髪化粧料を収容した前記容器部と、前記塗布部と、前記延長部とを組み付けられた状態の毛髪化粧料塗布具を用い、前記延長部の前記液導出路を介して、前記容器部から前記塗布部へ前記毛髪化粧料を供給する工程。
３）前記塗布部に供給された前記毛髪化粧料を毛髪に塗布する工程。
【発明の効果】
【００１１】
本発明によれば、塗布具の容器部内において各組成物を混合したときの混合性が良好であり、かつ混合によって生じた毛髪化粧料が適度な流動性を呈する毛髪化粧品が提供される。本発明の毛髪化粧品は、特に毛髪の部分染め、とりわけ筋状塗布を行う場合にその効果が顕著なものとなる。
【図面の簡単な説明】
【００１２】
【図１】図１は、本発明の毛髪化粧品に用いられる毛髪化粧料塗布具の一実施形態を示す一部破断側面図である。
【図２】図２は、図１に示す毛髪化粧料塗布具の塗布部の拡大斜視図である。
【図３】図３は、図１に示す毛髪化粧料塗布具の塗布部の櫛歯台を、櫛部が突出する面側から見た平面図である。
【図４】図４は、図１に示す毛髪化粧料塗布具の塗布部と延長部との接続状態を示す部分断面図である。
【図５】図５は、図１に示す毛髪化粧料塗布具における筒状の櫛部の内側の空間内に液状又は泡状の毛髪化粧料を貯留させた状態を示す斜視図である。
【図６】図６は、図１に示す毛髪化粧料塗布具を用いて頭髪に毛髪化粧料を塗布する様子を示す斜視図である。
【発明を実施するための形態】
【００１３】
以下本発明を、その好ましい実施形態に基づき説明する。本発明の毛髪化粧品は、頭髪が主たる適用対象であり、頭髪の染毛、脱色及び脱染に用いられる。すなわち、本発明において、毛髪化粧品が染料を含有する場合、該毛髪化粧品は頭髪を染毛するために用いられ、染料を含有しない場合は、頭髪を脱色するために用いられる。更に、既に染毛剤が適用された頭髪に、本発明の毛髪化粧品を用いる場合、該毛髪化粧品は頭髪を脱染するために用いられる。毛髪化粧品は、（ｉ）アルカリ剤及び界面活性剤を含有する組成物Ａ、（ii）酸化剤を含有する組成物Ｂ並びに（iii）毛髪化粧料塗布具の少なくとも３つを要素とし、これらが１つのパッケージ内に収納されたキットの形態をなしている。組成物Ａ及び組成物Ｂはそれぞれ独立して個別の容器内に収容されている。本発明の毛髪化粧品の使用前の状態においては、各組成物は容器内に密封収容されている。
【００１４】
本発明の毛髪化粧品が染毛用の化粧品である場合、組成物Ａはアルカリ剤及び界面活性剤の他に染料を含有する。本発明の毛髪化粧品が脱色用の化粧品である場合、組成物Ａは染料を含有することなくアルカリ剤及び界面活性剤を含有する。本発明の毛髪化粧品が染毛用であるか、それとも脱色用であるかを問わず、組成物Ａは、液状体であっても、クリーム状体ないしペースト状体、又は粉状体であっても良いが、好ましくは液状体又はクリーム状体である。
【００１５】
組成物Ｂは、本発明の毛髪化粧品が染毛用であるか、それとも脱色用であるかを問わず、液状体であっても、又はクリーム状体ないしペースト状体であっても良いが、好ましくは液状体又はクリーム状体であり、より好ましくは液状体である。
【００１６】
先に述べたとおり、各組成物はそれぞれ独立して別個の容器内に密封収容されている。組成物が液状体である場合、該組成物を収容する容器としては例えば、上方を向いて開口した口首部を有し、該口首部が閉栓部材で閉塞可能になっているボトルを用いることができる。組成物がクリーム状体である場合、該組成物を収容する容器としては例えば、チューブを用いることができる。組成物が粉状体である場合、該組成物を収容する容器としては例えば、小袋（パウチ）を用いることができる。
【００１７】
図１には、本発明の毛髪化粧品の一要素である毛髪化粧料塗布具（以下、単に「塗布具」ともいう。）の一実施形態の一部破断側面図が示されている。塗布具１は、図１に示すように、剤吐出口２１及び該剤吐出口２１の周囲を囲むように略円環状に配置された複数の櫛歯２２からなる櫛部２３を有する塗布部２と、毛髪化粧料（図示せず）を収容し、該毛髪化粧料を塗布部２に供給可能な容器部４とを有する。また塗布具１は、毛髪化粧料を容器部４から塗布部２に供給するための液導出路５１を持つ延長部５を有する。
【００１８】
塗布部２は、頭髪に接触する部分であり、頭髪を櫛部２３で梳きながら該頭髪に毛髪化粧料を塗布可能になっている。塗布部２は、図２及び図３に示すように、平面視円形状の櫛歯台２０を備えており、該櫛歯台２０の中央部に、延長部５を通じて供給された毛髪化粧料が吐出される剤吐出口２１が開口している。櫛歯２２は、櫛歯台２０に、剤吐出口２１の周囲を囲むように略円環状に多数立設されている。これらの櫛歯２２によって、櫛歯台２０上に、円筒状の櫛部２３が形成されている。櫛歯２２及び櫛歯台２０は、合成樹脂により一体に成形されている。櫛歯２２は、図３に示すように、平面視形状及び横断面形状が円形状であり、剤吐出口２１を囲む円形のライン２４上に等間隔に配置されている。尤も、各櫛歯２２は、それを配置した軌跡が等方性のある図形を描くように配置されていれば、円形のライン２４上に配置されていることを要しない。例えば、正三角形、正六角形又は正八角形等の正多角形の軌跡を描くように各櫛歯２２が配置されていればよい。本発明における「略円環状」とは、このような正多角形も含む概念である。
【００１９】
図４に示すように、延長部５の上端は開口しており、開口端に環状リブ５２が突設されている。一方、塗布部２の櫛歯台２０の下面部には、環状リブ５２と相補形状をなす環状溝部２６が凹設されている。そして、環状リブ５２と環状溝部２６とが嵌合することで、延長部５と塗布部２とが結合する。延長部５の下端については、以下に述べる接続キャップ４５（図１参照）の上端と嵌合可能になっており、該嵌合によって延長部５と接続キャップ４５とが結合している。
【００２０】
図１に戻ると、容器部４は、スクイズ可能な有底筒状の外容器４２と、外容器４２内に配置され、口部が外容器４２の円筒状の口部内面に気密に接合された内袋４３とを有する容器本体４１と、容器本体４１の口首部に取り付けられる逆止弁４４付きの接続キャップ４５とからなる二重構造の容器からなる。接続キャップ４５の内面にはネジ山が設けられており、このネジ山は、容器本体４１の口首部の外面に設けられたネジ山と螺合可能になっている。容器部４は、外容器４２を片手で把持し、その片手で該外容器４２をスクイズすることにより、外容器４２自体又は外容器４２と内袋４３との間の空気が、内部の内袋４３を押圧し、それにより内袋４３内の毛髪化粧料が押し出されて液導出路５１を介して剤吐出口２１に供給される。接続キャップ４５の上部には、容器部４と塗布部２との間に所定の間隔を形成する延長部５が結合しており、延長部５の他端は、前記の櫛歯台２０の裏面側に結合している。延長部５は、内部に液導出路５１を備え、液導出路５１を介して、容器部４と剤吐出口２１との間を連通している。
【００２１】
外容器４２の円筒状の口部には、外容器４２と内袋４３との間の空間と、外容器４２の外部とを連通する吸入孔４２ａが形成されている。そして、押圧されて変形した外容器４２が、弾性復元力により元の状態に戻るときに、容器１の外部の空気が、接続キャップ４５の下端と外容器４２との間に設けた隙間４２ｂ及び前記の吸入孔４２ａを通って、外容器４２と内袋４３との間に流入する。容器部４は、このような構成を有することで、外周面を押圧して変形させる操作を繰り返すことにより、内容物である毛髪化粧料を徐々に剤吐出口２１から吐出させることができる。
【００２２】
容器部４に、このような二重構造の容器を用いることにより、内部の毛髪化粧料の残量が減っても、容器部４がしぼんで把持しにくくなることを防止できる。また、接続キャップ４５や、容器部４内の空間と剤吐出口２１とを連通する液導出路５１等に逆止弁４４を設けて、剤の吐出後に空気が液導出路５１や容器部４に逆流することを防止することにより、次回の吐出の際に、毛髪化粧料が出にくくなったり毛髪化粧料が飛び散ったりすることを防止することができる。更に逆止弁４４を設けることで、塗布部２と容器部４との空間的な位置関係がいかなる場合であっても、毛髪化粧料を塗布部２へ供給することができる。容器部４の外容器４２における接続キャップ４５に覆われていない部分から櫛部２３までの距離Ｌ（図１参照）は、頭髪への塗布状態の目視による確認性を高める観点及び塗布作業の容易等の観点から、４０〜２００ｍｍであることが好ましく、より好ましくは７０〜１２０ｍｍであり、更に好ましくは８０〜１００ｍｍである。
【００２３】
以上の構成を有する塗布具１は、本発明の毛髪化粧品の使用前においては分解された状態になっている。例えば容器本体４１と、塗布部２、延長部５及び接続キャップ４５の３つが結合した部材との２パーツの状態になっている。
【００２４】
本発明の毛髪化粧品の使用に際しては、各組成物を混ぜ合わせることで毛髪化粧料を生じさせる。この混ぜ合わせは、例えば容器内に組成物Ａ及びＢを入れることで達成される。より具体的には、組成物Ｂを収容している容器内に、組成物Ａを入れることで達成される。あるいは、組成物Ａを収容している容器内に、組成物Ｂを入れることで達成される。これらの中でも、混合を首尾よく行う観点から、組成物Ｂを収容している容器内に、組成物Ａを入れることが好ましい。これらの混合態様に代えて、キットのパッケージ中にブランクの容器を１つ追加しておき、該ブランクの容器に、各組成物を前記の順序で入れて混合することもできる。いずれの場合であっても、各組成物を混ぜ合わせる容器としては、上述した塗布具１の一部である容器部４を用いることが有利である。この場合、毛髪化粧品の使用前においては、容器部４を組成物Ｂの収納容器として用い、かつ毛髪化粧品の使用時には、容器部４を毛髪化粧料の収納容器とすれば、キットに含まれる容器の数を減らすことができるという利点がある。
【００２５】
各組成物を容器部４内に入れたら、該容器部４の開口部を閉栓部材で閉塞し、その閉塞状態下に該容器を振って各組成物の混合を促進させ、毛髪化粧料を生じさせる。これに代えて、容器部４の開口部を、塗布部２が取り付けられた状態の延長部５で閉塞し、その閉塞状態下に該容器部４を振って各組成物の混合を促進させることもできる。
【００２６】
各組成物の混合が完了して毛髪化粧料が生じたら、これを頭髪に塗布する。容器部４の開口部を閉栓部材で閉塞している場合には、該閉栓部材を開口部から取り外し、次いで塗布部２が取り付けられた状態の延長部５を容器部４に取り付ければよい。これによって、毛髪化粧料を収容した容器部４と、塗布部２と、延長部５とが組み付けられた状態の毛髪化粧料塗布具１が完成する。各組成物の混合時に、容器部４の開口部に、塗布部２が取り付けられた状態の延長部５を取り付けて閉塞した場合には、混合が完了した時点で、毛髪化粧料を収容した容器部４と、塗布部２と、延長部５とが組み付けられた状態の毛髪化粧料塗布具１が完成する。そして、この毛髪塗布具１を用いて毛髪化粧料を頭髪に塗布する。具体的には以下の操作を行う。
【００２７】
まず外容器４２を片手で把持して繰り返しスクイズすることにより、容器部４内の毛髪化粧料を塗布部２に送り、剤吐出口２１から毛髪化粧料を吐出させる。そして、図５に示すように、筒状の櫛部２３の内側に所望の量の毛髪化粧料３を溜める。次いで、毛髪化粧料３を保持した塗布部２を、図６に示すように頭部に移動し、櫛部２３を頭髪側に向けて押し当てる。引き続き、塗布部２を、頭髪の毛先方向に向けて移動させ、櫛部２３で頭髪を梳きながら、隣接した櫛歯２２間に挿入された頭髪に対して頭髪処理剤３を塗布する。先に述べたとおり、剤吐出口２１の櫛歯２２は、各櫛歯２２によって描かれる軌跡が等方性の図形である略円環となるように配置されているので、塗布部２の移動中に、該塗布部２の向きが意図せず変わったとしても、毛髪化粧料の塗布幅は実質的に変わらないので、毛髪化粧料を略一定の幅で容易に塗布することができる。
【００２８】
塗布部２を、頭部の頭頂部側から頭髪の毛先方向に向かって一回移動させる一度の塗布操作で、頭髪に、ある程度の塗布幅で、ある程度の長さにわたって剤を塗布できるようにする観点、及び櫛歯２２間からの化粧料の漏れ防止の観点等から、頭髪長さが約２０〜２５ｃｍのミディアムヘアの女性の場合には、櫛歯２２の高さは、５〜３０ｍｍであることが好ましく、更に好ましくは５〜２０ｍｍであり、一層好ましくは７〜１７ｍｍである。同様の観点等から、櫛歯２２の基端部の断面中心が外接して通る円状ライン２４の内径Ｌ４（図３参照）は、５〜３０ｍｍであることが好ましく、より好ましくは５〜２０ｍｍ、更に好ましくは５〜１５ｍｍであり、一層好ましくは８〜１３ｍｍである。かかる内径Ｌ４の範囲は、ハイライティング又はローライティングを行う場合に好ましい筋幅となる範囲でもある。内径Ｌ４を前記の範囲内にすることで、ハイライティング又はローライティングの筋幅を適切にでき自然な仕上がりを達成することができる。本発明において、ハイライティング又はローライティングとは、頭髪の一部を、その根本から毛先にわたって筋状に脱色又は染毛することである。なお、本発明において、櫛部の内径とは、櫛歯２２の基端部の断面中心が外接して通る円状ラインの内径をいう。また、櫛歯２２の幅Ｗは、櫛歯の機械的強度を上げると共に、櫛歯を毛髪に挿入させ易くさせる観点から、０．１〜５ｍｍであることが好ましく、より好ましくは０．１〜３ｍｍであり、更に好ましくは０．５〜２．５ｍｍである。幅Ｗとは、剤吐出口中央部側から櫛歯をみたときの投影幅である（図３）。
【００２９】
上述した各組成物及び塗布具１を構成要素として備えるキットからなる本発明の毛髪化粧品においては、明瞭な施術効果を容易に達成するために、互いに影響しあう以下の三つ要因（ａ）、（ｂ）及び（ｃ）のバランスを図ることが有利であることが本発明者らの検討の結果判明した。
（ａ）毛髪化粧料の粘度。
（ｂ）延長部５における液導出路５１の直径と長さ。
（ｃ）容器部４の体積に占める、毛髪化粧料３が収容された状態での該容器部４のヘッドスペースの体積の割合。
【００３０】
前記の（ａ）については、各組成物の混合によって生じる毛髪化粧料３の粘度が低い場合にはその流動性が高くなり、組成物Ａ及びＢを均一に混合及び分散させやすくなるという利点がある。また毛髪化粧料３の塗布性や吐出性が優れるという利点もある。反面、塗布時に毛髪化粧料３が垂れ落ち易くなり、使用性に劣るという欠点がある。逆に、毛髪化粧料３の粘度が高い場合には、塗布時に毛髪化粧料３が垂れ落ち難くなり、使用性に優れるという利点がある。その反面、組成物Ａ及びＢを均一に混合及び分散させることが容易でないという欠点や、毛髪化粧料の塗布性及び吐出性が劣るという欠点がある。このように、組成物Ａ及びＢの均一分散性や混合性を高め、かつ毛髪化粧料の塗布性及び使用性を高めることは、二律背反の関係にある。
【００３１】
前記の（ｂ）については、延長部５における液導出路５１の直径が大きい場合には、毛髪化粧料３が容器部４から塗布部２へ円滑に移動するための空間が十分確保されるので、毛髪化粧料３の吐出性が良好になるという利点がある。しかし、液導出路５１の直径が大きい場合、延長部５が長すぎると、十分な量の毛髪化粧料３を押し出すには容器部４のスクイズ操作を複数回繰り返さなければならないという欠点がある。また、延長部５は長すぎても短すぎても、塗布具１の操作性が低下する。
【００３２】
前記の（ｃ）については、本発明においては、容器部４にヘッドスペースを設けることが好ましい。本発明において用いる組成物Ａ及びＢの混合時には振盪を行い、混合を促進させる必要がある。そこで、振盪を効果的に行うために、各組成物を混合するための容器である容器部４に各組成物が入れられた状態で十分なヘッドスペースを確保している。したがって、容器部４の体積に占めるヘッドスペースの体積の割合が大きい場合には、各組成物を混合して毛髪化粧料を生じさせるときに、各組成物が移動する空間が十分に確保されて混合性が高まるという利点がある。その反面、容器部４の体積が大きくなって、該容器部４を把持し難くなり、ひいてはスクイズし難くなるという欠点、キットのパッケージが嵩高くなり、商品の陳列スペースを多くとってしまうという欠点等がある。逆に、容器部４の体積に占めるヘッドスペースの体積の割合が小さい場合には、容器部４の体積を小さくできるので、キットのパッケージを小さくできるという利点がある。その反面、各組成物を十分に混合させづらくなるという欠点がある。また、ヘッドスペースの体積は毛髪化粧料３の粘度と関連しており、毛髪化粧料３の粘度が低い場合には、比較的小体積のヘッドスペースでも混合を十分に行うことができる。逆に、毛髪化粧料３の粘度が高い場合には、十分な体積のヘッドスペースを確保する必要がある。
【００３３】
このように、前記の（ａ）、（ｂ）及び（ｃ）の要因は相互に影響しあうので、例えば毛髪化粧料３の粘度が高く、その吐出性や混合性の低下が予測されるときには、液導出路５１の直径を大きくしたり、容器部４の体積に占めるヘッドスペースの体積の割合を大きくしたりするといった高度な調整が必要となる。また、容器部４の体積に占めるヘッドスペースの体積の割合が大きくなる結果、塗布具１の全長が大きくなることが予想されるときには、延長部５を短くするといった高度な調整が必要となる。
【００３４】
以上の状況を踏まえ、本発明者らは種々検討した結果、液導出路５１における最狭部での直径をａ（ｍｍ）とし、毛髪化粧料３の３０℃における粘度をｂ（Ｐａ・ｓ）としたとき、ａ／ｂの値を好ましくは０．１〜５、より好ましくは０．２〜４、更に好ましくは０．３〜２、一層好ましくは０．４〜１とすることで、毛髪化粧料３の吐出性を良好にし得ること、及び吐出量を容易に制御し得ることを知見した。液導出路５１の横断面が円形である場合、その円の直径が前記の最狭部での直径ａに相当する。液導出路５１の横断面が円形以外の形状である場合には、該横断面の面積に基づく円相当直径をもって直径ａとする。毛髪化粧料３の３０℃における粘度ｂは、Ｂ型粘度計（株式会社トキメック製Ｂ型回転粘度計（モデルTV-10））を用い、スピンドルＮｏ．４、回転数３０ｒｐｍの条件下に３０℃で１分間測定された値である。但し、粘度が２Ｐａ・ｓを超える場合は、Ｂ型粘度計（株式会社トキメック製Ｂ８Ｒ型回転粘度計（モデルTVB-10））を用い、スピンドルＮｏ.Ｔ−Ｃ、回転数１０ｒｐｍの条件下に３０℃で１分間回転させた後の値とする。なお、組成物Ａ及びＢを混合後ただちに測定するものとし、反応熱による温度変化は無視するものとする。
【００３５】
本発明の毛髪化粧品が、前記の関係を満たす場合、液導出路５１の直径ａの値そのものは、好ましくは２〜５０ｍｍ、更に好ましくは３〜３０ｍｍ、一層好ましくは３〜１５ｍｍ、更に一層好ましくは５〜１０ｍｍとする。液導出路５１の直径ａをこの範囲内に設定することで、毛髪化粧料３の吐出性、及び吐出量の制御が良好になるばかりでなく、塗布具１を手で把持したときの保持性も良好になり、また塗布具１のデザイン性も高くなる。一方、毛髪化粧料３の粘度そのものは、３０℃において３〜３０Ｐａ・ｓであり、５〜１５Ｐａ・ｓであることが好ましく、７〜１３Ｐａ・ｓであることが更に好ましく、８．５〜１３Ｐａ・ｓであることが一層好ましい。毛髪化粧料３の粘度をこの範囲に設定することで、該毛髪化粧料３の吐出性が良好になるばかりでなく、塗布時に毛髪化粧料３が垂れ落ちることが効果的に防止され、かつ毛髪上での毛髪化粧料３の延び性も良好になる。
【００３６】
本発明の毛髪化粧品は、前記の関係を有することに加えて、又はそれに代えて、以下の関係を満たすことが好ましい。すなわち、容器部４の体積に占める、毛髪化粧料３が収容された状態での該容器部４のヘッドスペースの体積の割合をｃ（％）としたとき、ｃ／ｂの値が０．５〜１５であることが好ましく、０．６〜１３であることがより好ましく、０．８〜１０であることが更に好ましく、１〜７であることが一層好ましい。ｃ／ｂの値は、容器部４内における毛髪化粧料３の振盪のさせやすさの尺度である。そしてｃ／ｂの値が前記の範囲内であれば、各組成物の混合を確実に行うことができるので、目的とする粘度の毛髪化粧料３が得られると共に、毛髪の染毛又は脱色にムラが生じることを防止することができる。
【００３７】
ｃ／ｂの値との関連で、ヘッドスペースの体積の割合ｃは、好ましくは５〜９０％、更に好ましくは１０〜８０％、一層好ましくは１５〜７０％である。なお、ヘッドスペースの体積とは、組成物Ｂが入っている容器部４内に組成物Ａを入れて閉栓し、該容器部４を振盪して混合を促進させた直後の状態での容器部４における空間の体積と定義する。ヘッドスペースの体積の割合は、以下の手順で測定される。（１）前記のように組成物Ａ及びＢの混合を促進させた後での容器部４における毛髪化粧料の上面の高さに印をつける。（２）この容器部４を空にした後、印をつけた高さまで水を入れてその質量を測定し、その質量を体積に換算する。その体積をＥ（ｃｍ3）とする。（３）空の容器部４に水をいっぱいに入れてその質量を測定し、その質量を体積に換算する。その体積をＦ(ｃｍ3)とする。（４）（１−Ｅ／Ｆ）×１００から算出された値をヘッドスペースの体積の割合とする。このとき、水の密度を１ｇ/ｃｍ3とする。ヘッドスペースの体積に関連して、容器部４それ自体の体積は、好ましくは３〜３００ｃｍ3、より好ましくは２０〜２００ｃｍ3、更に好ましくは５０〜１６０ｃｍ3とする。容器部４の体積をこの範囲内に設定することで、施術に必要十分な量の毛髪化粧料３を収容することができる。容器部４の体積との関係で、該容器部４の横断面積は、０．７〜８０ｃｍ2とすることが好ましく、２〜６０ｃｍ2とすることがより好ましく、３〜４０ｃｍ2とすることが更に好ましく、１０〜２０ｃｍ2とすることが一層好ましい。容器部４の横断面積をこの範囲に設定することで、該容器部４を把持しやすくなり、ひいてはスクイズしやすくなる。容器部４内に生じた毛髪化粧料３の体積は、ヘッドスペースの体積の割合ｃが前記の範囲内であることを条件として、２〜２００ｃｍ3であることが好ましく、２０〜１５０ｃｍ3であることがより好ましく、５０〜１３５ｃｍ3であることが更に好ましい。
【００３８】
本発明の毛髪化粧品においては、塗布具１の全長も、該塗布具１の操作性や、毛髪化粧料３の吐出性に影響を及ぼす要因の一つである。この観点から、塗布具１の全長、すなわち図１に示す正立状態における最低部から最高部までの長さは、好ましくは５〜４０ｃｍ、より好ましくは１０〜４０ｃｍ、更に好ましくは１５〜３０ｃｍ、一層好ましくは２０〜２５ｃｍに設定する。
【００３９】
また、毛髪化粧料３は、そのｐＨを高めに設定すると、明瞭な施術効果が得られるので好ましい。しかし、その反面毛髪がダメージを受けやすくなる。したがって、毛髪へのダメージを小さくしつつ、明瞭な施術効果を得る観点から、毛髪化粧料３のｐＨは、２５℃において８．０〜１２．５とすることが好ましく、８．０〜１１．０とすることが更に好ましく、８．０〜１０．５とすることが一層好ましい。ｐＨは例えば株式会社堀場製作所製のｐＨメータ  Ｆ−５１によって測定される。
【００４０】
＜アルカリ剤＞
本発明の毛髪化粧品に用いられる組成物Ａはアルカリ剤を含有する。アルカリ剤としては、例えばアンモニア、炭酸アンモニウム、重炭酸アンモニウム、イソプロパノールアミン、モノエタノールアミン、ジエタノールアミン、トリエタノールアミン、２−アミノ−２−メチル−１−プロパノール、水酸化ナトリウム、水酸化カリウム、炭酸ナトリウム、ケイ酸ナトリウム、アルギニン等が挙げられる。アルカリ剤は１種を単独で又は２種以上を組み合わせて用いることができる。これらの中でも、十分な染色効果の点から、アンモニア、炭酸アンモニウム及び重炭酸アンモニウムから選択される少なくとも１種以上が好ましい。
組成物Ａにおけるアルカリ剤の割合は、１〜５０質量％とすることが好ましく、１．２〜３０質量％とすることがより好ましく、１．５〜２０質量％とすることが更に好ましく、２〜１５質量％とすることが一層好ましい。アルカリ剤の割合をこの範囲に設定することで、毛髪に過度のダメージを与えることなく、十分な染色効果が得られる。
【００４１】
＜界面活性剤＞
本発明の毛髪化粧品に用いられる組成物Ａは界面活性剤を含有する。また本発明の組成物Ｂは界面活性剤を含有することができる。組成物Ｂに界面活性剤が含有される場合、該界面活性剤は、組成物Ａに含有される界面活性剤と同種のものでもよく、あるいは異種のものでもよい。
界面活性剤が、組成物Ａにのみ含有される場合、並びに組成物Ａ及びＢの両方に含有される場合のいずれの場合であっても、該界面活性剤は、組成物Ａ及びＢの混合によって生じる毛髪化粧料の吐出性及び塗布性を良好なものとするため、該毛髪化粧料中に０．１〜４０質量％、更には０．５〜３０質量％、更には１〜２０質量％含有することが好ましい。
界面活性剤としては、組成物Ａ及びＢの混合によって生じる毛髪化粧料の吐出性及び塗布性を良好なものとするため、アニオン界面活性剤、カチオン界面活性剤、両性界面活性剤、及び非イオン界面活性剤のいずれかを用いることができる。この中でも、上記の吐出性及び塗布性を良好なものとするため、カチオン界面活性剤と非イオン界面活性剤とを組み合わせて用いることが好ましい。
【００４２】
（アニオン界面活性剤）
アニオン界面活性剤としては、アルキル硫酸塩、アルキルエーテル硫酸塩等の硫酸エステル界面活性剤；脂肪酸塩、コハク酸アルキル又はコハク酸アルケニルの塩等のカルボン酸界面活性剤；アルキルリン酸塩、アルキルエーテルリン酸塩等のリン酸エステル界面活性剤；スルホコハク酸塩、イセチオン酸塩、タウリン塩、アルキルベンゼンスルホン酸、α−オレフィンスルホン酸、アルカンスルホン酸等のスルホン酸界面活性剤等が挙げられる。好ましくはアルキル硫酸塩、ポリオキシアルキレンアルキル硫酸塩が挙げられ、そのアルキル基の炭素数が１０〜２４、更に炭素数が１２〜１８であるものが好ましく、またこのアルキル基が直鎖であるものが好ましい。また、ポリオキシアルキレンアルキル硫酸塩、更にポリオキシエチレンアルキル硫酸塩がより好ましく、なかでもオキシエチレン基の平均付加モル数が１〜１０、更に２〜５であるものが好ましい。
アニオン界面活性剤は、組成物Ａ及びＢの混合によって生じる毛髪化粧料の吐出性及び塗布性を良好なものとするため、毛髪化粧料中に０．１〜２０質量％、更には０．５〜１５質量％含有することが好ましい。
【００４３】
（カチオン界面活性剤）
カチオン界面活性剤としては、モノ長鎖アルキル４級アンモニウム塩が好ましく、具体的には、セトリモニウムクロリド、ステアルトリモニウムクロリド、ベヘントリモニウムクロリド、ステアラルコニウムクロリド、ベンザルコニウムクロリド等が挙げられ、ステアルトリモニウムクロリド、ベヘントリモニウムクロリドがより好ましい。カチオン界面活性剤の市販品としては、コータミン86W、同86P コンク、同60W 、同D2345P（以上、花王社製)、ニッコール CA-2580（日本サーファクタント工業社製）が挙げられる。
カチオン界面活性剤は、組成物Ａ及びＢの混合によって生じる毛髪化粧料の吐出性及び塗布性を良好なものとするため、毛髪化粧料中に０．１〜５質量％、更には０．３〜３質量％含有することが好ましい。
【００４４】
（両性界面活性剤）
両性界面活性剤としては、炭素数８〜２４のアルキル基、アルケニル基又はアシル基を有するカルボベタイン系、アミドベタイン系、スルホベタイン系、ヒドロキシスルホベタイン系、アミドスルホベタイン系、ホスホベタイン系、イミダゾリニウム系の界面活性剤が挙げられ、なかでもカルボベタイン系界面活性剤、スルホベタイン系界面活性剤が好ましい。好ましい両性界面活性剤としては、ラウリン酸アミドプロピルベタイン、ヤシ油脂肪酸アミドプロピルベタイン、ラウリルジメチルアミノ酢酸ベタイン、ラウリルヒドロキシスルホベタイン等が挙げられる。
両性界面活性剤は、組成物Ａ及びＢの混合によって生じる毛髪化粧料の吐出性及び塗布性を良好なものとするため、毛髪化粧料中に０．１〜５質量％、更には０．３〜３質量％含有することが好ましい。
【００４５】
（非イオン界面活性剤）
非イオン界面活性剤としては、アルキルポリグルコシド、ポリオキシアルキレンアルキルエーテル、アルキルグリセリルエーテル等が挙げられる。アルキルポリグルコシドとしては、アルキル基の炭素数が８〜１８、更には８〜１４、更には９〜１１であるものが好ましく、またこのアルキル基が直鎖であるものが好ましい。グルコシドの平均縮合度は１〜５、更に１〜２が好ましい。ポリオキシアルキレンアルキルエーテルとしては、アルキル基の炭素数が１０〜２２、更に１２〜１８であるものが好ましく、またこのアルキル基が直鎖であるものが好ましい。また、ポリオキシエチレンアルキルエーテルがより好ましく、なかでもオキシエチレン基の平均付加モル数が１〜４０、更に４〜３０であるものが好ましい。アルキルグリセリルエーテルとしては、アルキル基の炭素数が８〜１８、更に８〜１２であるものが好ましく、またこのアルキル基が分岐鎖であるものが好ましい。
非イオン界面活性剤は、組成物Ａ及びＢの混合によって生じる毛髪化粧料の吐出性及び塗布性を良好なものとするため、毛髪化粧料中に０．５〜１５質量％、更には１〜１０質量％含有することが好ましい。
【００４６】
＜酸化剤＞
本発明の毛髪化粧品に用いられる組成物Ｂは酸化剤を含有する。酸化剤として例えば過酸化水素を用いることができる。組成物Ｂにおける酸化剤の割合は、０．１〜１５質量％とすることが好ましく、０．５〜１２質量％とすることがより好ましく、１〜１０質量％とすることが更に好ましく、５〜１０質量％とすることが一層好ましい。酸化剤の割合をこの範囲に設定することで、毛髪に過度のダメージを与えることなく、十分な染色効果が得られる。
【００４７】
＜染料＞
本発明の毛髪化粧品に用いられる組成物Ａは、該毛髪化粧品が頭髪を染毛するために用いられる場合、染料を含有する。染料としては、例えば酸化染料中間体、直接染料等が挙げられる。
【００４８】
（酸化染料中間体）
酸化染料中間体としては、通常染毛剤に使用されているプレカーサー及びカプラーを用いることができる。プレカーサーとしては、例えばパラフェニレンジアミン、トルエン−２，５−ジアミン、オルトクロルパラフェニレンジアミン、Ｎ−フェニルパラフェニレンジアミン、Ｎ，Ｎ−ビス（ヒドロキシエチル）パラフェニレンジアミン、３−メチル−４−アミノフェノール、２−ヒドロキシエチルパラフェニレンジアミン、パラアミノフェノール、パラメチルアミノフェノール、４−アミノ−メタクレゾール、オルトアミノフェノール、及びこれらの塩等が挙げられる。
また、カプラーとしては、例えばレゾルシン、２−メチルレゾルシン、１−ナフトール、１，５−ジヒドロキシナフタレン、５−アミノオルトクレゾール、メタフェニレンジアミン、オルトアミノフェノール、メタアミノフェノール、パラアミノフェノール、２，４−ジアミノフェノキシエタノール、２，６−ジアミノピリジン、２−メチル−５−ヒドロキシエチルアミノフェノール、２−アミノ−３−ヒドロキシピリジン、及びこれらの塩等が挙げられる。
プレカーサーとカプラーはそれぞれ２種以上を併用してもよく、プレカーサーとカプラーそれぞれの含有量は、組成物Ａ中に０．０１〜５質量％、更には０．１〜４質量％が好ましい。
【００４９】
（直接染料）
直接染料としては、酸性染料、ニトロ染料、分散染料、塩基性染料等が挙げられる。より具体的には、酸性染料としては、青色１号、紫色４０１号、黒色４０１号、だいだい色２０５号、赤色２２７号、赤色１０６号、黄色２０３号、酸性橙３等が挙げられ、ニトロ染料としては、２−ニトロ−ｐ−フェニレンジアミン、２−アミノ−６−クロロ−４−ニトロフェノール、３−ニトロ−ｐ−ヒドロキシエチルアミノフェノール、４−ニトロ−ｏ−フェニレンジアミン、４−アミノ−３−ニトロフェノール、４−ヒドロキシプロピルアミノ−３−ニトロフェノール、ＨＣ青２、ＨＣ橙１、ＨＣ赤１、ＨＣ黄２、ＨＣ黄４、ＨＣ黄５、ＨＣ赤３、Ｎ，Ｎ−ビス（２−ヒドロキシエチル）−２−ニトロ−ｐ−フェニレンジアミン等が挙げられ、分散染料としては、分散紫１、分散青１、分散黒９等が挙げられ、塩基性染料としては、塩基性青９９、塩基性茶１６、塩基性茶１７、塩基性赤７６、塩基性黄７６、塩基性橙３１、塩基性赤５１等が挙げられる。
直接染料は、２種以上を併用してもよく、酸化染料中間体と併用してもよい。またその含有量は、組成物Ａ中の０．００１〜５質量％、更には０．０１〜３質量％が好ましい。
【００５０】
＜油剤＞
本発明の毛髪化粧品に用いられる組成物Ａ及びＢには、組成物Ａ及びＢの混合によって生じる毛髪化粧料の吐出性及び塗布性を良好なものとするため、いずれか一方、又は両方に、更に油剤を含有させることができる。このような油剤としては、スクワレン、スクワラン、流動パラフィン、流動イソパラフィン、シクロパラフィン等の炭化水素類；ヒマシ油、カカオ油、ミンク油、アボガド油、オリーブ油等のグリセリド類；ミツロウ、鯨ロウ、ラノリン、カルナウバロウ等のロウ類；パルミチン酸イソプロピル、ミリスチン酸イソプロピル、ミリスチン酸オクチルドデシル、ラウリン酸ヘキシル、乳酸セチル、モノステアリン酸プロピレングリコール、オレイン酸オレイル、２−エチルヘキサン酸ヘキサデシル、イソノナン酸イソノニル、イソノナン酸トリデシル等のエステル類；カプリン酸、ラウリン酸、ミリスチン酸、パルミチン酸、ステアリン酸、ベヘニン酸、オレイン酸、ヤシ油脂肪酸、イソステアリル酸、イソパルミチン酸等の高級脂肪酸類；ミリスチルアルコール、セチルアルコール、ステアリルアルコール、ベヘニルアルコール、オレイルアルコール、２−オクチルドデカノール、セトステアリルアルコール等の高級アルコール類；その他イソステアリルグリセリルエーテル、ポリオキシプロピレンブチルエーテルなどが挙げられる。これらのうち、高級アルコール類が好ましく、更にミリスチルアルコール、セチルアルコール、ステアリルアルコールが好ましい。油剤が組成物Ａ及びＢの両方に含有される場合、組成物Ａに含有される油剤と、組成物Ｂに含有される油剤とは、同種のものでもよく、あるいは異種のものでもよい。油剤が、組成物Ａ及びＢの一方に含有される場合と、両方に含有される場合のいずれの場合であっても、該油剤は、組成物Ａ及びＢの混合によって生じる毛髪化粧料の吐出性及び塗布性を良好なものとするため、毛髪化粧料中に０．１〜１５質量％、更には０．５〜１３質量％、更には１〜１０質量％含有することが好ましい。
【００５１】
＜カチオン性ポリマー＞
本発明の毛髪化粧品に用いられる組成物Ａ及びＢには、組成物Ａ及びＢの混合によって生じる毛髪化粧料の吐出性及び塗布性を良好なものとするため、いずれか一方、又は両方に、更にカチオン性ポリマーを含有させることができる。カチオン性ポリマーとは、カチオン基又はカチオン基にイオン化され得る基を有するポリマーをいい、全体としてカチオン性となる両性ポリマーも含まれる。すなわち、カチオン性ポリマーとしては、ポリマー鎖の側鎖にアミノ基又はアンモニウム基を含むか、又はジアリル４級アンモニウム塩を構成単位として含む水溶液のもの、例えばカチオン化セルロース誘導体、カチオン性澱粉、カチオン化グアーガム誘導体、ジアリル４級アンモニウム塩の重合体又は共重合体、４級化ポリビニルピロリドン誘導体等が挙げられる。これらのうち、特にシャンプー時の柔らかさ、滑らかさ及び指の通り易さ、乾燥時のまとまり易さ及び保湿性という効果及び剤の安定性の点から、ジアリル４級アンモニウム塩を構成単位として含むポリマー、４級化ポリビニルピロリドン誘導体、カチオン化セルロース誘導体が好ましく、ジアリル４級アンモニウム塩の重合体又は共重合体、カチオン化セルロース誘導体がより好ましく、ジアリル４級アンモニウム塩の重合体又は共重合体が最も好ましい。
ジアリル４級アンモニウム塩の重合体又は共重合体の具体例としては、ジメチルジアリルアンモニウムクロリド重合体（ポリクオタニウム−６，例えばマーコート100；Nalco社）、ジメチルジアリルアンモニウムクロリド／アクリル酸共重合体（ポリクオタニウム-22，例えばマーコート280，同295；Nalco社）、ジメチルジアリルアンモニウムクロリド／アクリルアミド共重合体（ポリクオタニウム-7，例えばマーコート550；Nalco社）等が挙げられ、なかでもマーコート280、同295が好ましい。
カチオン性ポリマーが組成物Ａ及びＢの両方に含有される場合、組成物Ａに含有されるカチオン性ポリマーと、組成物Ｂに含有されるカチオン性ポリマーとは、同種のものでもよく、あるいは異種のものでもよい。また、カチオン性ポリマーは、２種以上を併用してもよく、またその含有量が多いほど効果が高いが、保存安定性と、剤単独での又は混合時の粘度安定性の点から、組成物Ａ及びＢの一方に含有される場合と、両方に含有される場合のいずれの場合であっても、毛髪化粧料中に０．００１〜２０質量％が好ましく、更には０．０１〜１０質量％、更には０．０５〜５質量％が好ましい。
【００５２】
＜シリコーン類＞
本発明の毛髪化粧品に用いられる組成物Ａ及びＢには、頭髪に高いコンディショニング効果を付与するため、更にシリコーン類を含有させることができる。シリコーン類としては、ジメチルポリシロキサン、メチルフェニルポリシロキサン、ポリエーテル変性シリコーン、アミノ変性シリコーン、オキサゾリン変性シリコーンエラストマー等、及びこれらを界面活性剤により水中に分散させたエマルションが挙げられる。これらのうち、増粘剤を用いることなく安定に水中に分散可能な点から、ポリエーテル変性シリコーン、アミノ変性シリコーン及びこれらのエマルションが好ましい。シリコーン類が組成物Ａ及びＢの両方に含有される場合、組成物Ａに含有されるシリコーン類と、組成物Ｂに含有されるシ
リコーン類とは、同種のものでもよく、あるいは異種のものでもよい。
組成物Ａと組成物Ｂを混合した毛髪化粧料中にシリコーン類を加える場合におけるシリコーン類の含有量は、該シリコーン類が組成物Ａ及びＢの一方に含有される場合と、両方に含有される場合のいずれの場合であっても、頭髪に高いコンディショニング効果を付与するため、毛髪化粧料中に２質量％以下であることが好ましく、更には０．００５〜１質量％、更には０．０１〜０．５質量％であることが好ましい。
【００５３】
＜媒体＞
本発明の毛髪化粧品に用いられる組成物Ａ及びＢのいずれか一方又は両方には、媒体として、水及び必要により有機溶剤が使用され得る。有機溶剤としては、エタノール、２−プロパノール等の低級アルカノール類、ベンジルアルコール、ベンジルオキシエタノール等の芳香族アルコール類、プロピレングリコール、１，３−ブタンジオール、ジエチレングリコール、グリセリン等のポリオール類、エチルセロソルブ、ブチルセロソルブ、ベンジルセロソルブ等のセロソルブ類、エチルカルビトール、ブチルカルビトール等のカルビトール類が挙げられる。前記有機溶剤が、組成物Ａ及びＢの一方に含有される場合と、両方に含有される場合のいずれの場合であっても、該有機溶剤は、毛髪化粧料中に０．０１〜２５質量％、更には０．０５〜１５質量％、更には０．１〜１０質量％含有することが好ましい。
【００５４】
＜その他任意成分＞
本発明の毛髪化粧料には、前記成分のほかに通常化粧品原料として用いられる他の成分を加えることができる。このような任意成分としては、動植物油脂、天然又は合成の高分子、エーテル類、蛋白誘導体、加水分解蛋白、アミノ酸類、防腐剤、キレート剤、安定化剤、酸化防止剤、植物性抽出物、生薬抽出物、ビタミン類、香料、紫外線吸収剤が挙げられる。
【００５５】
以上、本発明をその好ましい実施形態に基づき説明したが、本発明は前記の実施形態に制限されない。例えば前記の実施形態で用いた塗布具１における塗布部２の櫛歯２２は略円環状に配置されていたが、これに代えて、各櫛歯２２が剤吐出口２１を囲繞するように配置されている限り、各櫛歯２２は略円環状以外の配置状態になっていてもよい。例えば各櫛歯２２の描く軌跡が長円形や楕円形等の異方性を有する形状となるような配置状態になっていてもよい。
【００５６】
上述した実施形態に関し、本発明はさらに以下の毛髪化粧品及び毛髪の染毛又は脱色方法を開示する。
【００５７】
＜１＞
アルカリ剤及び界面活性剤を含有する組成物Ａ；
酸化剤を含有する組成物Ｂ；並びに
組成物Ａ及びＢの混合によって生じる、３０℃における粘度が３〜３０Ｐａ・ｓ、好ましくは５〜１５Ｐａ・ｓ、更に好ましくは７〜１３Ｐａ・ｓ、一層好ましくは８．５〜１３Ｐａ・ｓである毛髪化粧料を収容する容器部、該毛髪化粧料を毛髪の束に塗布する塗布部、及び該容器部と該塗布部とを連通する液導出路を有する延長部から構成される毛髪化粧料塗布具；を具備する毛髪化粧品であって、
該塗布部が、吐出口及び櫛部を有し、該櫛部が、該吐出口の周囲を囲むように略円環状に配置された複数の櫛歯を有する毛髪化粧品。
【００５８】
＜２＞
前記液導出路における最狭部での直径をａ（ｍｍ）とし、前記毛髪化粧料の３０℃における粘度をｂ（Ｐａ・ｓ）としたとき、ａ／ｂの値が０．１〜５、好ましくは０．２〜４、更に好ましくは０．３〜２、一層好ましくは０．４〜１である＜１＞に記載の毛髪化粧品。
【００５９】
＜３＞
前記容器部の体積に占める、前記毛髪化粧料が収容された状態での該容器部のヘッドスペースの体積の割合をｃ（％）とし、該毛髪化粧料の３０℃における粘度をｂ（Ｐａ・ｓ）としたとき、ｃ／ｂの値が０．５〜１５、好ましくは０．６〜１３、更に好ましくは０．８〜１０、一層好ましくは１〜７である＜１＞又は＜２＞に記載の毛髪化粧品。
【００６０】
＜４＞
前記毛髪化粧料の２５℃におけるｐＨが８．０〜１２．５、好ましくは８．０〜１１．０、更に好ましくは８．０〜１０．５である＜１＞ないし＜３＞のいずれか一項に記載の毛髪化粧品。
【００６１】
＜５＞
前記毛髪化粧料塗布具はその全長が５〜４０ｃｍ、好ましくは１０〜４０ｃｍ、更に好ましくは１５〜３０ｃｍ、一層好ましくは２０〜２５ｃｍである＜１＞ないし＜４＞のいずれか一項に記載の毛髪化粧品。
【００６２】
＜６＞
更に、組成物Ａ中に染料を含有する＜１＞ないし＜５＞のいずれか一項に記載の毛髪化粧品。
【００６３】
＜７＞
前記毛髪化粧料中に界面活性剤を０．１〜４０質量％、好ましくは０．５〜３０質量％、更に好ましくは１〜２０質量％含有する＜１＞ないし＜６＞のいずれか一項に記載の毛髪化粧品。
【００６４】
＜８＞
前記界面活性剤が、カチオン界面活性剤及び非イオン界面活性剤を含む＜１＞ないし＜７＞のいずれか一項に記載の毛髪化粧品。
【００６５】
＜９＞
更に、前記毛髪化粧料中に油剤を含有する＜１＞ないし＜８＞のいずれか一項に記載の毛髪化粧品。
【００６６】
＜１０＞
更に、前記毛髪化粧料中にカチオン性ポリマーを含有する＜１＞ないし＜９＞のいずれか一項に記載の毛髪化粧品。
【００６７】
＜１１＞
更に、前記毛髪化粧料中にシリコーン類を含有する＜１＞ないし＜１０＞のいずれか一項に記載の毛髪化粧品。
【００６８】
＜１２＞
組成物Ａは、液状体であっても、クリーム状体乃至ペースト状体、又は粉状体であっても良く、好ましくは液状体又はクリーム状体であり、より好ましくは液状体である＜１＞ないし＜１１＞のいずれか一項に記載の毛髪化粧品。
【００６９】
＜１３＞
組成物Ａはアルカリ剤として炭酸塩又は重炭酸塩を含有する＜１＞ないし＜１２＞のいずれか一項に記載の毛髪化粧品。
【００７０】
＜１４＞
組成物Ａにおけるアルカリ剤の割合は、１〜５０質量％とすることが好ましく、１．２〜３０質量％とすることがより好ましく、１．５〜２０質量％とすることが更に好ましく、２〜１５質量％とすることが一層好ましい＜１３＞に記載の毛髪化粧品。
【００７１】
＜１５＞
組成物Ｂは液状体であっても、又はクリーム状体乃至ペースト状体であっても良いが、好ましくは液状体又はクリーム状体であり、より好ましくは液状体である＜１＞ないし＜１４＞のいずれか一項に記載の毛髪化粧品。
【００７２】
＜１６＞
組成物Ｂにおける酸化剤の割合は、０．１〜１５質量％とすることが好ましく、０．５〜１２質量％とすることがより好ましく、１〜１０質量％とすることが更に好ましく、５〜１０質量％とすることが一層好ましい＜１＞ないし＜１５＞のいずれか一項に記載の毛髪化粧品。
【００７３】
＜１７＞
容器部が、スクイズ可能な有底筒状の外容器と、外容器内に配置され、口部が外容器の円筒状の口部内面に気密に接合された内袋とを有する容器本体と、容器本体の口首部に取り付けられる逆止弁付きの接続キャップとからなる二重構造の容器である＜１＞ないし＜１６＞のいずれか一項に記載の毛髪化粧品。
【００７４】
＜１８＞
液導出路の直径ａの値そのものが、好ましくは２〜５０ｍｍ、更に好ましくは３〜３０ｍｍ、一層好ましくは３〜１５ｍｍ、更に一層好ましくは５〜１０ｍｍである＜１＞ないし＜１７＞に記載の毛髪化粧品。
【００７５】
＜１９＞
ヘッドスペースの体積の割合ｃが、好ましくは５〜９０％、更に好ましくは１０〜８０％、一層好ましくは１５〜７０％である＜３＞に記載の毛髪化粧品。
【００７６】
＜２０＞
櫛歯の高さが５〜３０ｍｍであることが好ましく、更に好ましくは５〜２０ｍｍであり、一層好ましくは７〜１７ｍｍであり、
櫛歯の基端部の断面中心が外接して通る円状ラインの内径Ｌ４が、５〜３０ｍｍであることが好ましく、より好ましくは５〜２０ｍｍ、更に好ましくは５〜１５ｍｍであり、一層好ましくは８〜１３ｍｍであり、
櫛歯の幅Ｗが、０．１〜５ｍｍであることが好ましく、より好ましくは０．１〜３ｍｍであり、更に好ましくは０．５〜２．５ｍｍである＜１＞ないし＜１９＞のいずれか一項に記載の毛髪化粧品。
【００７７】
＜２１＞
アルカリ剤及び界面活性剤を含有する組成物Ａ；
酸化剤を含有する組成物Ｂ；並びに
組成物Ａ及びＢの混合によって生じる、３０℃における粘度が３〜３０、好ましくは５〜１５Ｐａ・ｓ、更に好ましくは７〜１３Ｐａ・ｓ、一層好ましくは８．５〜１３Ｐａ・ｓＰａ・ｓである毛髪化粧料を収容する容器部、該毛髪化粧料を毛髪の束に塗布する塗布部、及び該容器部と該塗布部とを連通する液導出路を有する延長部から構成される毛髪化粧料塗布具；を具備する毛髪化粧品であって、該塗布部が、吐出口及び櫛部を有し、該櫛部が、該吐出口の周囲を囲むように略円環状に配置された複数の櫛歯を有する毛髪化粧品を用いた毛髪の染毛又は脱色方法であって、
以下の工程１）ないし３）を有する毛髪の染毛又は脱色方法。
１）前記組成物Ａ及びＢを、前記容器部内において混合して、該容器部内において前記毛髪化粧料を生じさせる工程。
２）前記毛髪化粧料を収容した前記容器部と、前記塗布部と、前記延長部とを組み付けられた状態の毛髪化粧料塗布具を用い、前記延長部の前記液導出路を介して、前記容器部から前記塗布部へ前記毛髪化粧料を供給する工程。
３）前記塗布部に供給された前記毛髪化粧料を毛髪に塗布する工程。
【００７８】
＜２２＞
前記組成物Ａ及びＢを前記容器部内に入れた後、該容器部の開口部を、閉栓部材で閉塞するか又は前記延長部で閉塞し、その閉塞状態下に該組成物Ａ及びＢを該容器部内で混合する＜２１＞に記載の毛髪の染毛又は脱色方法。
【００７９】
＜２３＞
更に、組成物Ａ中に染料を含有する＜２１＞又は＜２２＞に記載の毛髪の染毛又は脱色方法。
【００８０】
＜２４＞
前記毛髪化粧料中に界面活性剤を０．１〜４０質量％、好ましくは０．５〜３０質量％、更に好ましくは１〜２０質量％含有する＜２１＞ないし＜２３＞のいずれか一項に記載の毛髪の染毛又は脱色方法。
【００８１】
＜２５＞
前記界面活性剤が、カチオン界面活性剤及び非イオン界面活性剤を含む＜２１＞ないし＜２４＞のいずれか一項に記載の毛髪の染毛又は脱色方法。
【００８２】
＜２６＞
更に、前記毛髪化粧料中に油剤を含有する＜２１＞ないし＜２５＞のいずれか一項に記載の毛髪の染毛又は脱色方法。
【００８３】
＜２７＞
更に、前記毛髪化粧料中にカチオン性ポリマーを含有する＜２１＞ないし＜２６＞のいずれか一項に記載の毛髪の染毛又は脱色方法。
【００８４】
＜２８＞
更に、前記毛髪化粧料中にシリコーン類を含有する＜２１＞ないし＜２７＞のいずれか一項に記載の毛髪の染毛又は脱色方法。
【００８５】
＜２９＞
組成物Ａは、液状体であっても、クリーム状体乃至ペースト状体、又は粉状体であっても良く、好ましくは液状体又はクリーム状体であり、より好ましくは液状体である＜２１＞ないし＜２８＞のいずれか一項に記載の毛髪の染毛又は脱色方法。
【００８６】
＜３０＞
組成物Ａはアルカリ剤として炭酸塩又は重炭酸塩を含有する＜２１＞ないし＜２９＞のいずれか一項に記載の毛髪の染毛又は脱色方法。
【００８７】
＜３１＞
組成物Ａにおけるアルカリ剤の割合は、１〜５０質量％とすることが好ましく、１．２〜３０質量％とすることがより好ましく、１．５〜２０質量％とすることが更に好ましく、２〜１５質量％とすることが一層好ましい＜３０＞に記載の毛髪の染毛又は脱色方法。
【００８８】
＜３２＞
組成物Ｂは液状体であっても、又はクリーム状体乃至ペースト状体であっても良いが、好ましくは液状体又はクリーム状体であり、より好ましくは液状体である＜２１＞ないし＜３１＞のいずれか一項に記載の毛髪の染毛又は脱色方法。
【００８９】
＜３３＞
組成物Ｂにおける酸化剤の割合は、０．１〜１５質量％とすることが好ましく、０．５〜１２質量％とすることがより好ましく、１〜１０質量％とすることが更に好ましく、５〜１０質量％とすることが一層好ましい＜２１＞ないし＜３２＞のいずれか一項に記載の毛髪の染毛又は脱色方法。
【００９０】
＜３４＞
容器部が、スクイズ可能な有底筒状の外容器と、外容器内に配置され、口部が外容器の円筒状の口部内面に気密に接合された内袋とを有する容器本体と、容器本体の口首部に取り付けられる逆止弁付きの接続キャップとからなる二重構造の容器である＜２１＞ないし＜３３＞のいずれか一項に記載の毛髪の染毛又は脱色方法。
【００９１】
＜３５＞
液導出路の直径ａの値そのものが、好ましくは２〜５０ｍｍ、更に好ましくは３〜３０ｍｍ、一層好ましくは３〜１５ｍｍ、更に一層好ましくは５〜１０ｍｍである＜２１＞ないし＜３４＞のいずれか一項に記載の毛髪の染毛又は脱色方法。
【００９２】
＜３６＞
前記容器部の体積に占める、前記毛髪化粧料が収容された状態での該容器部のヘッドスペースの体積の割合をｃ（％）としたとき、該ヘッドスペースの体積の割合ｃが、好ましくは５〜９０％、更に好ましくは１０〜８０％、一層好ましくは１５〜７０％である＜２１＞ないし＜３５＞のいずれか一項に記載の毛髪の染毛又は脱色方法。
【００９３】
＜３７＞
櫛歯の高さが５〜３０ｍｍであることが好ましく、更に好ましくは５〜２０ｍｍであり、一層好ましくは７〜１７ｍｍであり、
櫛歯の基端部の断面中心が外接して通る円状ラインの内径Ｌ４が、５〜３０ｍｍであることが好ましく、より好ましくは５〜２０ｍｍ、更に好ましくは５〜１５ｍｍであり、一層好ましくは８〜１３ｍｍであり、
櫛歯の幅Ｗが、０．１〜５ｍｍであることが好ましく、より好ましくは０．１〜３ｍｍであり、更に好ましくは０．５〜２．５ｍｍである＜２１＞ないし＜３６＞のいずれか一項に記載の毛髪の染毛又は脱色方法。
【実施例】
【００９４】
以下、実施例により本発明を更に詳細に説明する。しかしながら本発明の範囲は、かかる実施例に制限されない。
【００９５】
〔実施例１〕
以下の表１に示す組成を有する組成物Ａ及びＢを調製した。各組成物はそれぞれ独立に別個の容器に収納した。組成物Ａを収納する容器は体積が３７ｃｍ3のボトルであり、そこに４０ｇの組成物Ａを収納した。組成物Ｂを収納する容器は体積が１４９ｃｍ3のボトルであり、そこに６０ｇの組成物Ｂを収納した。この組成物Ｂを収納したボトルは、図１における符号４で示される容器部と同様の形状及び構造を有しており、スクイズ可能な有底筒状の外容器と、外容器内に配置され、口部が外容器の円筒状の口部内面に気密に接合された内袋とを有する二重構造の樹脂製のものであった。
【００９６】
組成物Ａを収納するボトルを開封し、該組成物Ａを、組成物Ｂを収納するボトル内に入れた。そして該ボトルを閉栓した状態で該ボトルを振盪して混合を促進させた。このようにして組成物Ａ及びＢが十分に混合させて毛髪化粧料を生じさせた。この時点でのボトルの容積に対するヘッドスペースの割合は表２に示すとおりであった。毛髪化粧料３の３０℃における粘度及び２５℃におけるｐＨは表２に示すとおりであった。
【００９７】
次いで、毛髪化粧料３が収容されているボトルを開栓し、その開口部に、図１における接続キャップ４５、延長部５及び塗布部２が結合した状態の部材を組み付けて、同図に示す塗布具１を完成させた。延長部５、塗布部２及び容器部４の寸法は表２に示すとおりである。
【００９８】
容器部４を把持してスクイズし、毛髪化粧料３を、延長部５を介して容器部４から塗布部２へ供給し、塗布部２の複数の櫛歯２２で囲まれた領域に保持させた。塗布部２をマネキンヘッドの毛髪の根元部に当て、毛先方向へ移動させて毛髪化粧料３を塗布した。このとき、塗布部２に保持した毛髪化粧料３を塗布の途中で使い切ってしまい毛先まで塗布できない場合には、塗布の途中で容器部４を軽くスクイズして毛髪化粧料３を塗布部に供給しながら塗布を行った。
【００９９】
以上の操作を、染毛及び脱色等の施術経験の豊富な１０人のパネラーに行わせ、各組成物の混合のしやすさ、並びに毛髪化粧料３の吐出のしやすさ、塗布のしやすさ、延ばしやすさ及び垂れ落ちのしにくさの各項目に関して、一般消費者向け製品として合格、不合格のいずれと思うかの評価を行わせた。そして、１０人のパネラーのうち、８人以上が合格と評価したものを合格とした。その結果を以下の表２に示す。
【０１００】
【表１】
0005990033.tif 000002
【０１０１】
【表２】
0005990033.tif 000003
【０１０２】
表２に示す結果から明らかなとおり、本実施例の毛髪化粧品は、各組成物の混合を行いやすいものであることが判る。また毛髪化粧料３の吐出及び塗布が行いやすいものであることも判る。更に、毛髪化粧料３の塗布操作において該毛髪化粧料３を塗り延ばしやすく、しかも垂れ落ちがしづらいことも判る。
【０１０３】
〔実施例２〕
以下の表３に示す組成物Ａ及びＢを調製した。これらの組成物を用いる以外は実施例１と同様にして毛髪化粧料の塗布を行った。塗布は、染毛及び脱色等の施術経験の豊富な１０人のパネラーに行わせ、これらのパネラーに、容器からの毛髪化粧料の出しやすさ、塗布部での毛髪化粧料の保持しやすさ、及び毛髪化粧料の塗布しやすさの観点から評価させた。評価方法は以下のとおりである。その結果を以下の表４に示す。なお、毛髪化粧料の粘度の測定は、その粘度の値に応じ、上述した方法で行った。
【０１０４】
〔容器からの毛髪化粧料の出しやすさ〕
容器部４を手で把持することで、剤吐出口２１から毛髪化粧料を吐出させるときの吐出のさせやすさを以下の基準で評価した。
Ａ：容器部４を片手で把持するだけで毛髪化粧料を容易に吐出させることができる。
Ｂ：容器部４を片手で強く把持すると、毛髪化粧料を吐出させることができる。
Ｃ：容器部４を両手で把持すると、毛髪化粧料を吐出させることができる。
【０１０５】
〔塗布部での毛髪化粧料の保持しやすさ〕
容器部４を手で把持することで、剤吐出口２１から毛髪化粧料を吐出させるときの塗布部２での毛髪化粧料の保持しやすさを以下の基準で評価した。
Ａ：毛髪化粧料が塗布部２から垂れることなく、毛髪化粧料を櫛歯２２の先端部まで充たすことができる。
Ｂ：毛髪化粧料が櫛歯２２の隙間から漏れ出す。
Ｃ： 毛髪化粧料を塗布部２に収容させることができないため、評価できない。
【０１０６】
〔毛髪化粧料の塗布しやすさ〕
株式会社ビューラックス社製のウィッグ（平均毛髪径約５０μｍ、毛髪密度１５０本／ｃｍ２）を、髪の長さが３０ｃｍになるようにカットした。容器部４を手で把持することで、剤吐出口２１から毛髪化粧料を吐出させ、このウィッグの根元から先端にかけて毛髪化粧料を塗布したときの塗布のしやすさを以下の基準で評価した。
Ａ：毛髪化粧料を根元から髪の先端（３０ｃｍ）まで、均一に塗布することができる。
Ｂ：毛髪化粧料を根元から髪の途中（３０ｃｍ未満）まで、均一に塗布することができる。
Ｃ：毛髪化粧料を根元から髪を塗布できるが、均一には塗布できない。
Ｄ：毛髪化粧料を塗布部に収容させることができないため、塗布できない。
【０１０７】
〔実施例３ないし５及び比較例１〕
毛髪化粧料における組成物Ａと組成物Ｂとの比率を表４に示す値とする以外は、実施例２と同様にして毛髪化粧料の塗布を行い、実施例２と同様の評価を行った。その結果を表４に示す。
【０１０８】
【表３】
0005990033.tif 000004
【０１０９】
【表４】
0005990033.tif 000005
【０１１０】
表３及び表４に示す結果から明らかなとおり、実施例２ないし５によれば、毛髪化粧料を首尾よく塗布できることが判る。これに対して、毛髪化粧料の粘度が過度に低い比較例１では、塗布に不都合が生じることが判る。
【符号の説明】
【０１１１】
１  毛髪化粧料塗布具
２  塗布部
２１  剤吐出口
２２  櫛歯
３  毛髪化粧料
４  容器部
４１  容器本体
４５  接続キャップ
５  延長部
５１  液流出路
【図１】
0005990033.tif 000006
【図２】
0005990033.tif 000007
【図３】
0005990033.tif 000008
【図４】
0005990033.tif 000009
【図５】
0005990033.tif 000010
【図６】
0005990033.tif 000011